(57)【特許請求の範囲】
【請求項１】
電気コネクタに接合される回転構成可能なバックシェルであって、
コネクタ・インターフェースおよびシールド・インターフェースを有するコネクタ・ボディ、
コネクタ端部およびリリーフ端部を有するシールド終端ボディ、および
シールド端部およびケーブル・クランプ端部を有するストレイン・リリーフ部
を有して成り、
コネクタ・インターフェースが、電気コネクタと係合して、電気的接続するように構成されており、
コネクタ端部がコネクタ・ボディのコネクタ・インターフェースに接合されており、コネクタ端部の面がリリーフ端部の面に対して角度を成すように方向づけられており、シールド終端ボディが電気コネクタから延在するケーブルをシールドするために構成されており、
シールド端部の面がケーブル・クランプ端部の面に対して角度を成すように方向づけられ、シールド端部がシールド終端ボディのリリーフ端部に回転接合され、ストレイン・リリーフ部のケーブル・クランプ端部の面がシールド終端ボディのコネクタ端部の面に対して種々の角度で位置することが可能であるように、ストレイン・リリーフ部のシールド端部がシールド終端ボディのリリーフ端部に対して回転可能であり、ストレイン・リリーフ部のケーブル・クランプ端部が電気コネクタから延在するケーブルを固定するように構成されており、
ストレイン・リリーフ部のシールド端部は、シールド終端ボディのリリーフ端部の周りを包むバンドを含む、回転構成可能なバックシェル。
【請求項２】
ストレイン・リリーフ部のケーブル・クランプ端部の面が、シールド終端ボディのコネクタ端部の面に対して０度〜９０度の角度で位置することが可能である、請求項１に記載の回転構成可能なバックシェル。
【請求項３】
シールド終端ボディのコネクタ端部の面が、シールド終端ボディのリリーフ端部の面に対して４５度の角度で方向づけられる、請求項１に記載の回転構成可能なバックシェル。
【請求項４】
ストレイン・リリーフ部のシールド端部の面が、ストレイン・リリーフ部のケーブル・クランプ端部の面に対して４５度の角度で方向づけられる、請求項１に記載の回転構成可能なバックシェル。
【請求項５】
シールド終端ボディのリリーフ端部が突起部を有して成り、又ストレイン・リリーフ部のシールド端部が切り欠き部を有して成り、
ストレイン・リリーフ部の切り欠き部が、シールド終端ボディに対してストレイン・リリーフ部の回転が制限されるためにシールド終端ボディの突起部を受容するように構成されている、請求項１に記載の回転構成可能なバックシェル。
【請求項６】
ストレイン・リリーフ部のシールド端部が、シールド終端ボディのリリーフ端部に形成された溝と回転自在に係合するバンドを有して成る、請求項１に記載の回転構成可能なバックシェル。
【請求項７】
コネクタ・インターフェースが歯を有して成り、
該歯は、電気コネクタに対してバックシェルが回転しないように、電気コネクタのボディと係合している、請求項１に記載の回転構成可能なバックシェル。
【請求項８】
電気コネクタのボディにコネクタ・インターフェースを固定するための連結ナットを更に有して成る、請求項１に記載の回転構成可能なバックシェル。
【請求項９】
シールド終端ボディとコネクタ・インターフェースとの間に連結されるレジューサー・ディスクを更に有して成り、
レジューサー・ディスクは、シールド終端ボディに大きさの異なるコネクタ・インターフェースを接合するように構成されている、請求項１に記載の回転構成可能なバックシェル。
【請求項１０】
シールド終端ボディのリリーフ端部にストレイン・リリーフ部のシールド端部を固定するために構成され、又はケーブルの周りのストレイン・リリーフ部のケーブル・クランプ端部を固定するために構成されたツール・レス・ロックを更に有して成る、請求項１に記載の回転構成可能なバックシェル。
【発明の詳細な説明】
【技術分野】
【０００１】
本明細書で記載される内容は、概して電気コネクタのためのバックシェルに関し、より具体的には、電気コネクタのための回転構成可能な(又は回転設定可能な；ｒｏｔａｔｉｏｎａｌｌｙ  ｃｏｎｆｉｇｕｒａｂｌｅ)バックシェルに関する。
【０００２】
電気コネクタは、概してコネクタのケーブル端から延在するルーズ・ケーブルおよび/又はワイヤーの束を含む。ケーブルは電気部品と係合するために構成される。しかしながら、ケーブルは典型的には固定されず、電気製品および/又は電気コネクタからケーブルを離す力がかけられてよい。ケーブルはバックシェルにより保護されてよい。バックシェルはコネクタのケーブル端に固定され、ケーブルを固定するために張力緩和メカニズムを含む。バックシェルは、一般的に電気コネクタに対して３つの方向のうちの１つの方向に設けられる。バックシェルはコネクタに対して直線に、すなわち０度に方向づけされてよく、又はバックシェルはコネクタに対して４５度又は９０度で方向づけされてよい。これら角度の形態は電気コネクタのほとんどの用途に適合する。
【０００３】
しかしながら、ほとんどのバックシェルは異なる形態に適合するための互換性がない。それどころか、異なるバックシェルはしばしば各角度に適合して活用されるために必要とされる。従って、電気コネクタの用途が変わるにつれて、新しいバックシェルが電気コネクタにつなげられることを要する。あるバックシェルは、異なる角度で適合させるために構成されている。しかしながら、これらのバックシェルは、電気コネクタおよびバックシェルのボディ部に対して独立して回転する一対のアームを含む。従って、所望の角度でアームを適切に一直線上にすることは困難である。更に、アームは多重スクリューを使用して保持される。各スクリューは、バックシェルの角度を調節するために操作されることを要し、別々の操作を必要とする。そのため、これらバックシェルは不格好で、調整のためのかなりの時間および作業を必要とする傾向がある。
【０００４】
従って、ほとんど労力を要さず調整することができる、調節式の回転構成可能なバックシェルが必要である。
【発明の概要】
【０００５】
ある態様では、電気コネクタに接合される(又は接続される；ｊｏｉｎｅｄ)回転構成可能なバックシェルが供される。回転構成可能なバックシェルは、コネクタ・インターフェース(又は界接面又は界面又は接触面；ｃｏｎｎｅｃｔｏｒ  ｉｎｔｅｒｆａｃｅ)およびシールド・インターフェース(又はシールド界接面又はシールド界面又はシールド接触面；ｓｈｉｅｌｄ  ｉｎｔｅｒｆａｃｅ)を有するコネクタ・ボディを含む。コネクタ・インターフェースは、電気コネクタと係合し電気的接続を形成するように構成されている。コネクタ端部およびリリーフ端部(又は逃がし端部又は緩和端部；ｒｅｌｉｅｆ  ｅｎｄ)を有するシールド終端ボディが供される。コネクタ端部は、コネクタ・ボディのコネクタ・インターフェースに接合される。コネクタ端部は、リリーフ端部に対してある角度で方向づけされる。シールド終端ボディは、電気コネクタから延在するケーブルをシールドするように構成されている。シールド端部およびケーブル・クランプ端部を有するストレイン(又は変形又は負荷；ｓｔｒａｉｎ)・リリーフ(又は逃がし又は逃げ又は緩和；ｒｅｌｉｅｆ)部が供される。シールド端部は、ケーブル・クランプ端部に対してある角度で方向づけされる。シールド端部は、ケーブル・クランプ端部に対してある角度で方向づけされる。シールド端部は、シールド終端ボディのリリーフ端部に回転自在に接合される。ストレイン・リリーフ部のシールド端部がシールド終端ボディのリリーフ端部に対して回転可能であることで、ストレイン・リリーフ部のケーブル・クランプ端部は、シールド終端ボディのコネクタ端部に対して種々の角度で位置決め可能である。ストレイン・リリーフ部のケーブル・クランプ端部は、電気コネクタから延在するケーブルを固定するように構成されている。
【０００６】
別の態様では、電気アッセンブリのためのバックシェルが供される。バックシェルは、コネクタ端部およびリリーフ端部を有するシールド終端ボディを含む。コネクタ端部は、電気コネクタのケーブル端部と接合するように構成されている。コネクタ端部の面は、リリーフ端部の面に対してある角度で方向づけされている。シールド端部およびケーブル・クランプ端部を有するストレイン・リリーフ部が供される。シールド端部の面は、ケーブル・クランプ端部の面に対してある角度で方向づけされる。シールド端部は、シールド終端ボディのリリーフ端部に回転自在に接合されている。ストレイン・リリーフ部のシールド端部はシールド終端ボディのリリーフ端部に対して回転可能であることで、ストレイン・リリーフ部のケーブル・クランプ端部の面は、シールド終端ボディのコネクタ端部の面に対して種々の角度で位置決め可能である。
【図面の簡単な説明】
【０００７】
【図１】図１は、電気アッセンブリの分解図である。
【図２】図２は、本発明の態様により形成され、図１に示される電気アッセンブリで使用されてよいバックシェルの斜視図である。
【図３】図３は、線分３−３に沿った図２に示されるバックシェルの断面図である。
【図４】図４は、図２に示される態様の連結ナットの拡大図である。
【図５】図５は、本発明の態様により形成され、図２に示されるバックシェルで使用されてよい別の連結ナットの拡大図である。
【図６】図６は、図２に示される態様のケーブル・クランプの拡大図である。
【図７】図７は、図２に示される態様のシールド終端ボディの一部の拡大図である。
【図８】図８は、図２に示される態様のバンドの正面図である。
【図９】図９は、様々な位置での図２に示される態様のバックシェルを示したものである。
【図１０】図１０は、本発明の態様により形成され、図１に示される電気アッセンブリで使用されてよいバックシェルの分解図である。
【図１１】図１１は、本発明の態様により形成され、図２に示されるバックシェルおよび/又は図１０に示されるバックシェルで使用されてよいストレイン・リリーフ部の斜視図である。
【図１２】図１２は、本発明の態様により形成され、図２に示されるバックシェルおよび/又は図１０に示されるバックシェルで使用されてよいストレイン・リリーフ部の斜視図である。
【図１３】図１３は、別の態様により形成されたストレイン・リリーフ部およびシールド終端ボディの斜視図である。
【図１４Ａ】図１４Ａは、図１３に示され、第１の入口位置でのストレイン・リリーフ部およびシールド終端ボディの斜視図である。
【図１４Ｂ】図１４Ｂは、図１４Ａに示され、４５度の位置に回転されたストレイン・リリーフ部およびシールド終端ボディの斜視図である。
【図１４Ｃ】図１４Ｃは、図１４Ａに示され、９０度の位置に回転されたストレイン・リリーフ部およびシールド終端ボディの斜視図である。
【図１５Ａ】図１５Ａは、図１３に示され、第２の入口位置でのストレイン・リリーフ部およびシールド終端ボディの斜視図である。
【図１５Ｂ】図１５Ｂは、図１５Ａに示され、０度の位置に回転されたストレイン・リリーフ部およびシールド終端ボディの斜視図である。
【図１５Ｃ】図１５Ｃは、図１５Ａに示され、４５度の位置に回転されたストレイン・リリーフ部およびシールド終端ボディの斜視図である。
【発明を実施するための形態】
【０００８】
添付図面を併用すれば、前述の発明の概要およびある態様での下記の詳細な説明をより理解できるであろう。本明細書で使用されるように、単数で記載され、単語「ａ」又は「ａｎ」で始まる要素又は工程は、複数の前記要素又は工程が明確に除かれるとの記載がない限り、複数の前記要素又は工程は除かれないと理解されよう。更に、「ある態様」との言及は、記載された特徴を組み入れている更なる態様の存在を除くものと解釈されてはならない。その上、明確に反対に記載されていない限り、特定の特性を有する要素又は複数の要素を「含んで成る」又は「有する」態様は、その特性を有しない追加の要素を含んでよい。
【０００９】
図１は、電気アッセンブリ５０の分解図である。電気アッセンブリ５０は電気コネクタ５２を含む。電気コネクタ５２は、航空宇宙産業や自動車産業等で使用するための任意の適当なコネクタであってよい。又、電気コネクタ５２は電気的応用に適当であってよい。電気コネクタ５２は、嵌合端部５４およびケーブル端部５６を有したボディ５３を含んでいる。嵌合端部５４は対応するコネクタに接合するように構成されている。ケーブル端部５６は、該ケーブル端部から延在するケーブルの束５８を含んでいる。又、多重ケーブルおよび/又はルーズワイヤーがケーブル端部５６から延在していてよい。ケーブルの束５８は、（図示していないが）電気部品と接合するように構成されている。電気コネクタ５２は、電気部品から対応するコネクタに接合された別の電気部品へ出力信号および/又はデータ信号を送る。又、電気コネクタ５２は、対応するコネクタに光信号又はそれ以外の適当な信号を送ってよい。ケーブルの束５８は、指定されたワイヤー・ハーネス・パスおよび/又はチャネルと適合させるためにある角度で電気コネクタ５２から延在してよい。ケーブルの束５８は長手軸５９を有し、電気コネクタ５２は長手軸５５を有する。ケーブルの束５８の長手軸５９が電気コネクタ５２の長手軸５５に対してある角度で方向づけられるように、ケーブルの束５８は電気コネクタ５２から延在してよい。軸５９および５５は任意の角度で方向づけられてよい。ある態様では、軸５９および５５は０〜１８０度の任意の角度で方向づけられてよい。
【００１０】
バックシェル６０は、電気コネクタ５２のケーブル端部５６のねじ込み領域５９に固定するように構成されている。任意には、バックシェル６０は電気コネクタ５２のケーブル端部５６に嵌め込まれてよい。バックシェル６０はケーブルの束５８を受容するように構成されている。バックシェル６０は、ケーブルの束５８を固定し、ケーブルの束５８および/又は電気コネクタ５２にかけられてよい力からケーブルの束５８を保護する。又、バックシェル６０により、ケーブルの束５８が電気コネクタ５２および/又は対応する電気部品から離れることを抑制している。又、バックシェル６０はケーブルの束５８のため電磁遮蔽を供してよい。バックシェル６０は、コネクタ端部６２およびケーブル・クランプ端部６４を含む。ケーブルの束５８はコネクタ端部６２内に挿入される。コネクタ端部６２は、ケーブルの束５８のシールドを終端処理するため（図２に示される）ケーブルシールド終端ボディ１１４を含んでよい。ケーブルシールド終端ボディは、耐腐食性のスチール終端バンド等を含んでよい。ケーブルの束５８はバックシェル６０を介して延在し、ケーブル・クランプ端部６４で固定される。ケーブル・クランプ端部６４は、ケーブルタイ、鞍状クランプ、ケーブル束のストリング、および/又は熱回収可能な例えば熱収縮性のブーツ、例えば熱収縮性の成形ブーツを含んでいてよい。又、ケーブル・クランプ端部６４は、熱回収可能な部品として本明細書に記載されているような形状と同じように径方向に伸縮する弾性材から製造されてよい。
【００１１】
図２は、バックシェル６０の代わりに電気アッセンブリ５０で使用されてよい態様により形成されたバックシェル１００の斜視図である。図３は、線分３−３に沿ったバックシェル１００の断面図である。バックシェル１００は、ストレイン・リリーフ端部１０２およびコネクタ端部１０４を含む。コネクタ端部１０４は、（図３に示されるように）コネクタ・インターフェース１０６およびシールド・インターフェース１０７を有するコネクタ・ボディ１０５を含む。連結ナット(又は継手ナット；ｃｏｕｐｌｉｎｇ  ｎｕｔ)１０８はコネクタ・インターフェース１０６に接合されている。連結ナット１０８は電気コネクタ５２に連結する(又は接続する又はつなぐ；ｃｏｕｐｌｅ)ように構成されている。例えば、連結ナット１０８は電気コネクタ５２の後方の付属のスレッド５９と係合してよい。コネクタ・ボディ１０５は、ケーブルの束５８により生じた電磁的接触面からバックシェル１００を保護するために電気コネクタ５２に電気接続を供する。コネクタ・ボディ１０５は、バックシェル１００が電気コネクタ５２に対して回転しないようにするための電気コネクタ５２と係合するように構成されている歯１１７を含む。連結ナット１０８は、電気コネクタ５２にコネクタ・ボディ１０５に固定するためにコネクタ・インターフェース１０６と係合している。図３を参照すると、コネクタ・ボディ１０５の外面１１０は、連結ナット１０８の内面１１２と係合していることで、コネクタ・ボディ１０５は連結ナット１０８内に位置付けられている。
【００１２】
図２を参照すると、シールド終端ボディ１１４はコネクタ・ボディ１０５のシールド・インターフェース１０７に接合されている。シールド終端ボディ１１４は、所定の電磁両立性を得るために電磁遮蔽を供するように構成されている。例えば、シールド終端ボディ１１４は、バックシェル１００の電磁両立性を最適化するために構成されてよい。シールド終端ボディ１１４はシールド終端デバイス、例えば耐腐食性シールド終端バンド等を含んでよい。シールド終端ボディ１１４は、コネクタ端部１１６およびリリーフ端部１１８を含む。コネクタ端部１１６は長手軸１１５および平面を規定する面１１７を有する。リリーフ端部１１８は、長手軸１１９および平面を規定する面１２１を有する。コネクタ端部１１６の面１１７は、リリーフ部１１８の面１２１に対して角度Ａで方向づけされている。例示態様では、面１１７は面１２１に対して約４５度で方向づけされている。又、面１１７は面１２１に対して任意の角度で方向づけされてよい。又、長手軸１１５および１１９は、相互にある角度で方向づけされる。ある態様では、長手軸１１５および１１９は０〜１８０度の角度で方向づけされてよい。
【００１３】
コネクタ・ボディ１０５のシールド・インターフェース１０７は（図３に示すように）タブ１２２を含む。タブ１２２がコネクタ・ボディ１０５へシールド終端ボディ１１４を固定するように、シールド・インターフェース１０７はシールド終端ボディ１１４のコネクタ端部１１６内に挿入される。又、シールド終端ボディ１１４はスプリング１１５を含む。スプリング１１５は、連結ナット１０８で歯１１７と係合するように構成されている。スプリング１１５は、シールド終端ボディ１１４に対して連結ナット１０８の回転を制限するための歯１１７と係合する。スプリング１１５により、連結ナット１０８は時計回りに、半時計回りに回転することができることで、連結ナットをシールド終端ボディ１１４に固定し、離すことができる。又、スプリング１１５により、シールド終端ボディ１１４に連結ナット１０８を固定するため、連結ナット１０８を単一の方向に回転させることができるのみでよい。そのような態様では、スプリング１１５は、シールド終端ボディ１１４から連結ナット１０８を離すために歯１１７から離れることを要する。
【００１４】
図４は連結ナット１０８の一部の拡大図を示す。連結ナット１０８は、連結ナット１０８が２つの方向２２８および２３０に回転することができる歯２２０を有している。各歯２２０は、連結ナット１０８の端部２２４から外側に延在し、ピーク２２６で接合する外面２２２により形成される。外面２２２は、連結ナット１０８の端部２２４により形成される面２２３に対して非直交の角度で延在する。スプリング１１５は、シールド終端ボディ１１４に連結ナット１０８を保持するために歯２２０内に設けるように構成されている。スプリング１１５は、方向２２８又は２３０のいずれかの方向に連結ナット１０８を回転させることで歯２２０から離すことが可能である。連結ナット１０８を回転させる際、スプリング１１５は、連結ナット１０８が所望の位置になるまで歯２２０に沿って歯止めされるために外面２２２に沿って動く。
【００１５】
図５は、本発明の態様により形成され、バックシェル１００で使用されてよい別の連結ナット２４１を示す。連結ナット２４１は、連結ナット２４１が単一の方向２４２に回転することができる歯２４０を有している。歯２４０は、適切な位置で連結ナット２４１をロックし、２４４の方向に連結ナット２４１が回転しないようにする。各歯２４０は、一対の外面２４６および２４８から形成されている。外面２４６は、連結ナット２４１の端部２４３により形成された面２４１に対して９０度の角度で延在する。又、外面２４６は、歯２４０内のスプリング１１５をロックする９０度未満の角度で延在してよい。外面２４８は、９０度よりも大きい角度で連結ナット２４１の端部２４３から延在してよい。又、スプリング１１５および連結ナット２４１の水平側面を、望ましい分離力を得るために図４に示すように水平の角度から４５度まで増やすことができる。
【００１６】
外面２４８は連結ナット２４１を単一の方向２４２に回転させることができる。連結ナット２４１を単一の方向２４２に回転させる際、スプリング１１５は、連結ナット２４１が所望の位置になるまで外面２４８に沿って動き、歯２４０に沿って歯止めされる。スプリング１１５は、スプリングが外面２４６と係合するように歯２４０内でロックされる。スプリング１１５は外面２４６に沿って動かないようにし、スプリング１１５により連結ナット２４１が２４４の方向に回転しないようにする。２４４の方向に連結ナット２４１を回転させるために、まず連結ナット２４１の歯からスプリング１１５を手動で外すことを要する。
【００１７】
図２を参照すると、ストレイン・リリーフ部１２４はシールド終端ボディ１１４のリリーフ端部１１８に接合されている。ストレイン・リリーフ部１２４は、ケーブル・クランプ端部１２６およびシールド端部１２８を含む。シールド端部１２８は、シールド終端ボディ１１４のリリーフ端部１１８に接合される。シールド端部１２８は、シールド終端ボディ１１４のリリーフ端部１１８の周りを包むバンド１３０を含む。バンド１３０は、ロックピン１３２でシールド終端ボディ１１４に固定される。例示態様では、ロックピン１３２は、バンド１３０に固定され、および/又はバンド１３０から除去されるための用具を要しない。ロックピン１３２により、バンド１３０をシールド終端ボディ１１４から外すことができることで、ストレイン・リリーフ部１２４はシールド終端ボディ１１４に対して回転することができる。
【００１８】
ストレイン・リリーフ部１２４のケーブル・クランプ端部１２６は、ケーブル・クランプ１３４を含んでいる。例示態様では、ケーブル・クランプ１３４は鞍状のクランプ１３５を含む。別の態様では、ケーブル・クランプ１３４は熱回収部品、例えば熱収縮性成形ブーツを含んでよい。ケーブル・クランプ１３４はケーブル固定バー１３６を含む。ケーブル固定バー１３６は、取付機構、例えばケーブルタイおよび/又はケーブルバンドリングストリングでケーブルの束５８を固定するように構成されている。鞍状のクランプ１３５はケーブル・クランプ・アンカー１３８の周りを回転することで、ケーブルの束５８は鞍状のクランプ１３５とケーブル固定バー１３６との間に位置することができる。
【００１９】
図６はケーブル・クランプ１３４を示す。鞍状のクランプ１３５は、ツール・レス(又は工具のない；ｔｏｏｌ  ｌｅｓｓ)ロックピン１４０および１４２でケーブル固定バー１３６に固定される。ツールレスのロックピン１４２はアパーチャー１４３に受容され、ケーブル固定バー１３６にツールレスのロックピン１４０を固定するためにツールレスのロックピン１４０と係合する。
【００２０】
図２を参照すると、ストレイン・リリーフ部１２４のケーブル・クランプ端部１２６は、長手軸１２３および平面を規定する面１２５を含む。ストレイン・リリーフ部１２４のシールド端部１２８は、長手軸１２７および平面を規定する面１２９を含む。ケーブル・クランプ端部１２６の面１２５は、シールド端部１２８の面１２９に対して角度Ｂで方向づけられる。例示態様では、角度Ｂは約４５度である。又、角度Ｂは任意の角度であってよい。任意には、長手軸１２３および１２７はある角度で方向づけられてよい。角度ＡおよびＢは、シールド終端ボディ１１４のコネクタ端部１１６の面１１７に対して角度Ｃでストレイン・リリーフ部１２４のケーブル・クランプ端部１２６の面１２９を位置付けるように設定される。角度Ｃは任意の角度であってよい。ある態様では、角度Ｃは０〜１８０度の角度である。ストレイン・リリーフ部１２４は、ストレイン・リリーフ部１２４の面１２９に対して角度Ｃでシールド終端ボディ１１４の面１１７を位置付けるために、シールド終端ボディ１１４の周りを回転するように構成される。図２および図３は、０度の角度Ｃと平行である面１１７および１２９を示す。任意には、ストレイン・リリーフ部１２４は、シールド終端ボディ１１４の長手軸１１５とストレイン・リリーフ部１２４の長手軸１２７との間のある角度を調整するためにシールド終端ボディ１１４の周りで回転されてよい。
【００２１】
図７は、シールド終端ボディ１１４のリリーフ端部１１８の一部の拡大図を示す。図８は、ストレイン・リリーフ部１２４のバンド１３０の正面図を示す。シールド終端ボディ１１４のリリーフ端部１１８は、（図７に示すように）リリーフ端部１１８の周縁に延在する溝１４４を含む。バンド１３０は溝１４４に位置するように構成され、それによって、バンド１３０は溝１４４内で回転する。ストレイン・リリーフ部１２４はシールド終端ボディ１１４の周りで回転し、それによって、ケーブル・クランプ端部１２６の面１２９を、シールド終端ボディ１１４のコネクタ端部１１６の面１１７に対して種々の角度Cで位置付けることが可能である。ある態様では、ストレイン・リリーフ部１２４の面１２９は、シールド終端ボディ１１４の面１１７に対して０、４５および９０度で位置付けられるように構成される。
【００２２】
ある態様では、溝１４４は（図７に示すように）突起部１４６を含む。突起部１４６は溝１４４の周りに１８０度増分で位置付けられる。又、溝１４４は、溝１４４の周りに９０度増分で位置付けられる４つの突起部１４６を含んでいてよい。別の態様では、溝１４４は任意の数の突起部１４６を含んでいてよい。バンド１３０は、（図８に示すように）対応する切り欠き１４８を含む。切り欠き１４８は、バンド１３０の周りに９０度増分で位置付けられる。又、バンド１３０は、突起部１４６の数に対応する任意の数の切り欠き１４８を含んでいてよい。切り欠き１４８は突起部１４６を受容するように構成されており、それにより、バンド１３０は溝１４４に対する位置にはまる。ある態様では、切り欠き１４８および突起部１４６は、ストレイン・リリーフ部１２４がシールド終端ボディ１１４の面１１７に対して０、４５および９０度で方向づけられるストレイン・リリーフ部１２４の面１２９を有する位置にはまるように、方向づけられる。又、バックシェル１００は、突起部１４６および切り欠き１４８を含んでいなくてよい。そのような態様では、バンド１３０は溝１４４で自由に回転することで、ストレイン・リリーフ部１２４の面１２９をシールド終端ボディ１１４の面１１７に対して任意の角度Cで方向づけることができてもよい。又、ストレイン・リリーフ部１２４は、設置の間ボディ１１４とストレイン・リリーフ部１２４を一体的に組み立てるために、ボディ１１４に１つ又はそれよりも多い開口部およびマッチングタブを介して適合させてよい。溝３６２の周縁に設けられた突起部又は複数の突起部１４４は、所望の角度０、４５又は９０度でストレイン・リリーフ部１２４の回転を止めるために１つ又はそれよりも多い箇所に設けられてよい。
【００２３】
図９は、様々な位置でのバックシェル１００を示す。位置２００では、バックシェル１００の面１１７および１２９は０度を有する角度Cで方向づけられる。位置２０２では、バックシェル１００の面１１７および１２９は４５度を有する角度Cで方向づけられる。位置２０４では、バックシェル１００の面１１７および１２９は９０度を有する角度Cで方向づけられる。バックシェル１００のストレイン・リリーフ部１２４は、位置２００、２０２および２０４のいずれかにおいてバックシェル１００を位置付けるために、シールド終端ボディ１１４の周りで回転する。ストレイン・リリーフ部１２４の角度Bおよびシールド終端ボディ１１４の角度Aは、シールド終端ボディ１１４の面１１７とストレイン・リリーフ部１２４の面１２９の間に角度Cを形成する。
【００２４】
角度Cはバックシェル１００の異なる用途に適合させる。バックシェル１００は、０、４５および９０度の任意の角度で使用のために調整することができる。ある態様では、突起部１４６および切り欠き１４８は、０、４５および９０度のいずれかの角度にある位置にバックシェルをロックする。任意には、ストレイン・リリーフ部１２４は、任意の角度でバックシェル１００の面１１７および１２９を位置付けるためにシールド終端ボディ１１４の周りを自由に回転してよい。ロックピン１３２により、ストレイン・リリーフ部１２４のバンド１３０をシールド終端ボディ１１４の溝１４４から外すことができる。ある態様では、ロックピン１３２は、溝１４４からバンド１３０を外すために用具無しに操作される。溝１４４からバンド１３０を外すことにより、ストレイン・リリーフ部１２４をシールド終端ボディ１１４に対して回転させることが可能である。ストレイン・リリーフ部１２４は、位置２００、２０２および２０４のいずれかにおいてバックシェル１００を位置付けるために回転される。別の態様では、ストレイン・リリーフ部１２４は、任意の角度でバックシェル１００の面１１７および１２９を位置付けるために回転されてよい。
【００２５】
図１０は、本発明の態様により形成され、電気アッセンブリ５０で使用されてよいバックシェル３００を示す。バックシェル３００は、ストレイン・リリーフ部３０２およびコネクタ部３０４を有する。コネクタ部３０４は、バックシェルボディ３０６および連結ナット３０８を含む。バックシェルボディ３０６は、コネクタ・インターフェース３０５およびシールド・インターフェース３０７を含む。連結ナット３０８は、バックシェル３００と電気コネクタ５２を連結するため、電気コネクタ５２の後方の付属のスレッド５９に接合されるように構成される。バックシェルボディ３０６は、ケーブルの束５８により生じる電磁的接触面からバックシェル３００を保護するために電気コネクタ５２のボディと接合する。又、バックシェルボディ３０６は、バックシェル３００が電気コネクタ５２に対して回転することを制限するための歯３１０を含んでよい。連結ナット３０８は、電気コネクタ５２へバックシェルボディ５２を接合するためにバックシェルボディ３０６のコネクタ・インターフェース３０５内にねじ込まれる。
【００２６】
バックシェルボディ３０６は、連結ナット３０８に供される歯３１４と係合するように構成されている少なくとも１つのスプリング３１２を含む。スプリング３１２は、バックシェルボディ３０６に対して連結ナット３０８の回転を制限する歯３１４と係合する。例示態様では、歯３１４により連結ナット３０８を２つの方向３１６および３１８に回転させることができる。各歯３１４は、連結ナット３０８の端部３２２から９０度よりも大きい角度で延在する外面３２０を含む。スプリング３１２は、バックシェルボディ３０６に連結ナット３０８を保持するために歯３１４内に位置するように構成されている。連結ナット３０８を方向３１６又は３１８のいずれかの方向に回転する際、スプリング３１２は、連結ナット３０８が所望の位置になるまで歯３１４内で歯止めで動く。方向３１６、３１８の一方は、バックシェルボディ３０６に連結ナット３０８を締め付ける。方向３１６、３１８の他方は、バックシェルボディ３０６から連結ナット３０８を離す。別の態様では、連結ナット３０８の歯３１４により、方向３１６、３１８の一方のみに連結ナット３０８が回転することができるように構成されてよい。そのような態様では、スプリング３１２は、バックシェルボディ３０６から連結ナット３０８を外すために歯３１４から手動で外すことを要する。
【００２７】
シールド終端ボディ３２４は、レジューサー３２６を通じてバックシェルボディ３０６に接合される。シールド終端ボディ３２４は、バックシェル３００の所定の電磁性能を得るため電磁遮蔽を供する。シールド終端ボディ３２４は、例えば、耐腐食性シールド終端バンド等のシールド終端デバイスを含んでいてよい。シールド終端ボディ３２４は、コネクタ端部３２８およびリリーフ端部３３０を含む。レジューサー３２６は、シールド終端ボディ３２４のコネクタ端部３２８に位置付けられるように構成されている。レジューサー３２６は、外側径３３２および内側径３３４を含む。レジューサー３２６の内側径３３４は、シールド終端ボディ３２４のコネクタ端部３２８の外側径３３６に対応する大きさである。レジューサー３２６の外側径３３２は、バックシェルボディ３０６のシールド・インターフェース３０７の内側径３３８に対応する大きさである。
【００２８】
レジューサー３２６の内側径３３４および外側径３３２は、シールド終端ボディ３２４およびバックシェルボディ３０６の任意の大きさに形成したものであってよい。レジューサー３２６により、シールド終端ボディ３２４および/又はバックシェルボディ３０６を操作することなく接合させるために、シールド終端ボディ３２４およびコネクタ・インターフェース３０６を異なる大きさにすることができる。又、シールド終端ボディ３２４およびバックシェルボディ３０６が対応する大きさでない場合、レジューサーは、シールド終端ボディ３２４および/又はバックシェルボディ３０６を取り換える必要がなくなる。レジューサー３２６は、任意の大きさおよび/又は形状のシールド終端ボディ３２４およびバックシェルボディ３０６に適した大きさや形状にすることができる。
【００２９】
シールド終端ボディ３２４のコネクタ端部３２８は、シールド終端ボディ３２４のリリーフ端部３３０の面３３１に対して角度Xで方向づけられる面３２３を含む。例示態様では、面３２３により規定される平面は、面３３１により規定される平面に対して４５度に方向づけられる。又、面３２３は面３３１に対して任意の角度で方向づけられてよい。
【００３０】
ストレイン・リリーフ部３４０は、シールド終端ボディ３２４のリリーフ端部３３０に接合される。ストレイン・リリーフ部３４０は、ケーブル・クランプ端部３４２およびシールド端部３４４を含む。シールド端部３４４は、シールド終端ボディ３２４のリリーフ端部３３０に接合される。シールド端部３４４は、シールド終端ボディ３２４のリリーフ端部３３０の周りを包むバンド３４６を含む。バンド３４６は、一対のロックピン３４８、３４９でシールド終端ボディ３２４に固定される。例示態様では、ロックピン３４８、３４９をバンド３４６に固定し、および/又はバンド３４６から取り外すための用具を要しない。ロックピン３４８、３４９によりバンド３４６をシールド終端ボディ３２４から外すことができ、それによって、シールド終端ボディ３２４に対してストレイン・リリーフ部３４０を回転させることができる。
【００３１】
ストレイン・リリーフ部３４０のケーブル・クランプ端部３４２はケーブル・クランプ３５０を含む。例示態様では、ケーブル・クランプ３５０は鞍状のクランプ３５１を含む。ケーブル・クランプ３５０は、取付け機構でケーブルの束５８を固定するためのケーブル固定バー３５２を含む。ケーブル・クランプ３５０はケーブル・クランプ・アンカー３５４の周りで回転し、それによって、ケーブルの束５８がケーブル・クランプ３５０とケーブル固定バー３５２の間に位置することができる。ケーブル・クランプ３５０は、ねじ３５６およびワッシャー３５８でケーブル固定バー３５２に固定される。又、ケーブル・クランプ３５０は、ツール・レス・ロックピン、ラッチ、スナップ等で固定されてよい。
【００３２】
ストレイン・リリーフ部３４０のケーブル・クランプ端部３４２は、ストレイン・リリーフ部３４０のシールド端部３４４の面３４３に対して角度Yで方向づけられる面３４１を含む。例示態様では、角度Yは約４５度である。又、角度Yは任意の角度であってよい。角度YおよびXは、シールド終端ボディ３２４の面３２３により規定される平面に対して角度Zであるストレイン・リリーフ部３４０の面３４１により規定される平面を位置付けるように構成される。角度Zは任意の角度であってよい。ストレイン・リリーフ部３４０は、シールド終端ボディ３２４の面３２３に対して角度Zにあるストレイン・リリーフ部３４０の面３４１を位置付けるために、シールド終端ボディ３２４の周りでスライド可能に回転するように構成されている。
【００３３】
シールド終端ボディ３２４のリリーフ端部３３０は、リリーフ端部３３０の周縁に延在する溝３６０を含む。バンド３４６を溝３６０内に位置するように構成することで、バンド３４６が溝３６０内をスライド可能に回転する。ストレイン・リリーフ部３４０がシールド終端ボディ３２４の周りで回転することで、ケーブル・クランプ端部３４２はシールド終端ボディ３２４のコネクタ部３２８に対して種々の角度Zに位置することができる。ある態様では、ケーブル・クランプ端部３４２の面３４１は、シールド終端ボディ３２４の面３２３に対して０、４５および９０度に位置するように構成されている。又、面３２３および３４１は任意の角度Zで位置付けることが可能であってよい。
【００３４】
溝３６０は突起部３６２を含み、（図示していないが）バンド３４６は切り欠きを含む。切り欠きは、溝３６０の突起部３６２に対応するようにバンド３４６の周りに方向づけられる。切り欠き部は、シールド終端ボディ３２４に対してストレイン・リリーフ部３４０を固定するために突起部３６２と係合するように構成されている。切り欠きおよび突起部３６２は、ストレイン・リリーフ部３４０が０、４５および９０度で方向づけられる面を有する位置でロックされるように方向づけられる。又、バックシェル３００は突起部３６２および切り欠きを含んでいなくてよい。そのような態様では、バンド３４６は自由に溝３６０内を回転することで、面３２３および３４１のケーブル・クランプ端部３４２を任意の角度Zで方向付けることができてよい。形状変更フランジおよび（ストレイン・リリーフ部での）溝３６３は、実質的には相互に回転できない一対の楕円形状の開口部３６４に変わる。
【００３５】
角度Zはバックシェル３００の種々の用途に適合される。バックシェル３００は任意の角度で使用するため適合させることができる。ある態様では、バックシェルは０、４５および９０度のいずれかの角度で使用するため適合させることができる。ある態様では、突起部３６２および切り欠きはある位置でバックシェル３００をロックする。任意には、ストレイン・リリーフ部３４０は、任意の角度でバックシェル３００を位置付けるためにシールド終端ボディ３２４の周りで自由に回転してよい。バンド３４６は、ストレイン・リリーフ部３４０がシールド終端ボディ３２４に対して回転することができるように、溝３６０から離すことができる。ストレイン・リリーフ部３４０は、バックシェル３００のコネクタ端部３０４に対してある角度でバックシェル３００のストレイン・リリーフ部端部３０２を位置付けるために回転させてよい。
【００３６】
図１１は、本発明の態様により形成され、位置４０２、４０４および４０６で方向づけられたストレイン・リリーフ部４００の斜視図である。ストレイン・リリーフ部４００は、バックシェル１００および/又はバックシェル３００で使用されてよい。ストレイン・リリーフ部４００は、熱回収部品、例えば熱収縮性成形ブーツ又は熱収縮性チューブから製造されてよい。又、ストレイン・リリーフ部は、熱回収部品として本明細書に記載されているように同様の形状で径方向に拡張される弾性材から製造されてよい。そのブーツ又はチューブは、種々の環境および運転条件に適当な様々な材料から作られてよい。ストレイン・リリーフ部４００は、連結ナット４１０、コネクタ・インターフェース４１２およびシールド終端ボディ４１４を有するバックシェルボディ４０８につながれる。バックシェルボディ４０８は、（図示していないが）電気コネクタと係合するための嵌合端部４０１を含む。ストレイン・リリーフ部４００は、シールド終端ボディ４１４のストレイン・リリーフ部端部４１６につながる。ストレイン・リリーフ部４００は、シールド端部４１８およびケーブル端部４２０を含む。シールド端部４１８はシールド終端ボディ４１４に接合される。シールド端部４１８は、ケーブル端部４２０の径４２４よりも小さい径４２２を有する。又、シールド端部４１８の径４２２はケーブル端部４２０の径４２４と類似であってよい。ブーツのシールド端部は、接触面で密封を促進するため、予め設けた又はユーザーが設けた接着剤を有していてよい。接着材料は、種々の環境、化学および他の条件に適合させるため変えてよい。
【００３７】
シールド端部４１８の面４１７は、ケーブル端部４２０の面４１９に対して角度Lで方向づけられる。例示態様では、角度Lは約４５度である。又、角度Lは０〜９０度の角度であってよい。ストレイン・リリーフ部４００はシールド終端ボディ４１４の周りで回転し、それによって、ケーブル端部４２０の面４１９は、バックシェルボディ４０８の嵌合端部４０１の面４０３に対して角度Mで位置付けられる。位置４０２は角度Mが４５度である面４０３および４１９を示す。位置４０４は角度Mが９０度である面４０３および４１９を示す。位置４０６は角度Mが０度である面４０３および４１９を示す。
【００３８】
ストレイン・リリーフ部４００は、所望の角度Mを供するためにバックシェルボディ４０８に対して位置付けられる。（図示していないが）電気コネクタのケーブルの束は、ストレイン・リリーフ部４００を介して延在する。ストレイン・リリーフ部４００は、ストレイン・リリーフ部４００をケーブルの束に合わせるために加熱させてよい。又、ストレイン・リリーフ部４００は、ケーブルの束に圧着させ、および/又はケーブルの束に接合させてよい。ストレイン・リリーフ部４００により、ケーブルの束が電気コネクタおよび/又はバックシェルボディ４０８から外れないようにされる。
【００３９】
図１２は、本発明の態様により形成され、位置４５２、４５４および４５６に方向づけられるストレイン・リリーフ部４５０の斜視図である。ストレイン・リリーフ部４５０はバックシェル１００および/又はバックシェル３００で使用されてよい。ストレイン・リリーフ部４５０は、例えばブーツ形状である熱収縮性成形部から製造される。ストレイン・リリーフ部４５０は、バックシェルボディ４０８につなぐように構成されている。ストレイン・リリーフ部４５０はシールド端部４６８およびケーブル端部４７０を含む。シールド端部４６８は、ケーブル端部４７０の径４７４よりも大きい径４７２を有している。又、シールド端部４６８の径４７２はケーブル端部４７０の径４７４と類似であってよい。
【００４０】
シールド端部４６８の面４６７は、ケーブル端部４７０の面４６９に対して角度Rで方向づけられる。例示態様では、角度Rは約４５度である。又、角度Rは任意の角度であってよい。ストレイン・リリーフ部４５０はシールド終端ボディ４１４の周りで回転し、それによって、ケーブル端部４７０の面４６９は、バックシェルボディ４０８の嵌合端部４０１の面４０３に対して角度Sで位置付けられる。位置４５２は角度Sが４５度である面４０３および４６９を示す。位置４５４は角度Sが９０度である面４０３および４６９を示す。位置４５６は角度Sが０度である面４０３および４６９を示す。
【００４１】
ストレイン・リリーフ部４５０は、所望の角度Sを供するためにバックシェルボディ４０８に対して位置付けられる。（図示していないが）電気コネクタのケーブルの束は、ストレイン・リリーフ部４５０を介して延在する。ストレイン・リリーフ部４５０は、ストレイン・リリーフ部４５０をケーブルの束に合わせるために加熱させてよい。又、ストレイン・リリーフ部４５０は圧着させ、および/又はケーブルの束に固定させてよい。ストレイン・リリーフ部４５０により、ケーブルの束が電気コネクタおよび/又はバックシェルボディ４０８から外れないようにされる。
【００４２】
図１３は、別の態様により形成されたストレイン・リリーフ部５００を示すものである。ストレイン・リリーフ部５００は、シールド終端ボディ５０２につながれるように構成されている。シールド終端ボディ５０２は、リリーフ端部５０４およびコネクタ端部５０６を含む。リリーフ端部５０４は面５０８を含み、コネクタ端部５０６は面５１０を含む。面５０８は、面５１０に対して約４５度の角度で方向づけられる。嵌合部５１２はシールド終端ボディ５０２のリリーフ端部５０４に位置する。嵌合部５１２は概して円形であり、外面５１４を含む。第１タブ５１６は外面５１４から径方向に外側に延在する。第１リップ５１８は、嵌合部５１２に隣接するシールド終端ボディ５０２に形成される。第１リップ５１８は、空間５２０が第１リップ５１８と第１タブ５１６との間に規定されるように第１タブ５１６に並べられる。（図１４A〜１５Cに示される）第２タブ５２２は、外面５１４から径方向に外側に延在する。第２タブ５２２は第１タブ５１６から約１８０度に位置する。第２リップ５２４は、嵌合部５１２に隣接するシールド終端ボディ５０２に形成される。第２リップ５２４は、空間５２６が第２リップ５２４と第２タブ５２２との間に形成されるように第２タブ５２２に並べられる。
【００４３】
ストレイン・リリーフ部５００は、シールド端部５３０およびケーブル・クランプ端部５３２を含む。例示態様では、ケーブル・クランプ端部５３２は鞍状のクランプ５３３を含む。シールド端部５３０はシールド終端ボディ５０２のリリーフ端部５０４と嵌合するように構成されている。シールド終端ボディ５０２のリリーフ端部５０４は、ストレイン・リリーフ部５０４のシールド端部５３０内に受容されるように構成されている。ストレイン・リリーフ部５０４のシールド端部５３０は嵌合部５３４を含む。シールド終端ボディ５０２の嵌合部５１２は、ストレイン・リリーフ部５００の嵌合部５３４に受容される大きさである。
【００４４】
シールド端部５３０の嵌合部５３４は概して円形であり、内面５３６を含む。フランジ５３８は内面５３６の周りで円周方向に延在する。フランジ５３８は、（図１４Aおよび１５Aに示されるように）第１開口部５４０および第２開口部５４２を含む。第１開口部５４０は、第２開口部５４２から約１８０度に位置付けられる。第１開口部５４０および第２開口部５４２は、シールド終端ボディ５０２の第１タブ５１６又は第２タブ５２２のいずれかを受容する大きさである。第１開口部５４０は、第１タブ５１６又は第２タブ５２２のうちの一方を受容するように構成されている。第２開口部５４２は、第１タブ５１６および第２タブ５２２の他方を受容するように構成されている。
【００４５】
第１突起部５４４および第２突起部５４６は、フランジ５３８から延在している。第１突起部５４４は、第１開口部５４０に隣接して位置している。第２突起部５４６は、第２開口部５４２に隣接して位置している。第１突起部５４４は、第１開口部５４０と第２突起部５４６との間に位置している。第２突起部５４６は、第２開口部５４２と第１突起部５４４との間に位置している。
【００４６】
嵌合部材５３４はロック５４８を含む。ロック５４８は、（図示していないが）ロックピンを受容するように構成されている。ロック５４８は、嵌合部材５３４を嵌合部材５１２に固定するように構成されている。ロック５４８は、嵌合部材５３４内で嵌合部材５１２が回転しないようにする。嵌合部材５３４内で嵌合部材５１２が回転できるように、ロックピンをロック５４８から取り除くことが可能である。
【００４７】
ストレイン・リリーフ部５００のシールド端部５３０は面５５０を含む。ストレイン・リリーフ部５００のケーブル・クランプ端部５３２は面５５２を含む。面５５０は、面５５２に対して約４５度の角度で方向づけられる。
【００４８】
図１４Aは、第１入口位置５６０でストレイン・リリーフ部５００内に挿入されるシールド終端ボディ５０２の斜視図である。第１入口位置５６０では、シールド終端ボディ５０２の嵌合部材５１２は、ストレイン・リリーフ部５００の嵌合部材５３４内に挿入される。第１タブ５１６は第１開口部５４０を介して挿入される。第２タブ５２２は第２開口部５４２内に挿入される。嵌合部材５１２は嵌合部材５３４内で回転することができる。
【００４９】
図１４Bは、最初の４５度の位置５６２に回転させたストレイン・リリーフ部５００の斜視図である。ストレイン・リリーフ部５００は矢印５６４の方向に回転させる。ストレイン・リリーフ部５００はシールド終端ボディ５０２に対して回転する。フランジ５３８は、シールド終端ボディ５０２の空間５２０および空間５２６内で回転する。フランジ５３８は、シールド終端ボディ５０２がストレイン・リリーフ部５００から離れないようにするために第１タブ５１６と第１リップ５１８との間に位置付けられる。又、フランジ５３８は、シールド終端ボディ５０２がストレイン・リリーフ部５００から離れないようにするために第２タブ５２２と第２リップ５２４との間に位置付けられる。フランジ５３８は、シールド終端ボディ５０２にストレイン・リリーフ部５００を固定するために、第１タブ５１６および第２タブ５２２と係合する。
【００５０】
最初の４５度の位置５６２では、第１タブ５１６は第１突起部５４４に対して回転される。第１タブ５１６は第１突起部５４４に隣接する。第１突起部５４４により、矢印５６４の方向にストレイン・リリーフ部５００の更なる回転が抑制される。最初の４５度の位置５６２では、ストレイン・リリーフ部５００のケーブル・クランプ端部５３２により形成される面５５２は、シールド終端ボディ５０２のコネクタ端部５０６により形成される面５１０に対して約４５度に方向づけされる。ロック５４８は、４５度の位置でシールド終端ボディ５０２およびストレイン・リリーフ部５００を保持するために固定される(又は取り付けられる；ｓｅｃｕｒｅ)。
【００５１】
最初の入口位置５６０と最初の４５度の位置５６２との間の中間の位置にストレイン・リリーフ部５００を回転させて、面５５２が間欠(断続；ｉｎｔｅｒｍｉｔｔｅｎｔ)的な角度で面５１０に対して方向づけられてよい。ロック５４８は、シールド終端ボディ５０２に対してストレイン・リリーフ部５００が回転しないように固定される。ロック５４８は、最初の入口位置５６０と最初の４５度の位置５６２との間の中間の位置でシールド終端ボディ５０２にストレイン・リリーフ部５００を固定する。
【００５２】
図１４Ｃは、９０度の位置５６６に回転されるストレイン・リリーフ部５００の斜視図である。ストレイン・リリーフ部５００は、矢印５６８の方向に回転される。矢印５６８の方向は、矢印５６４の方向に対して反対向きである。９０度の位置５６６では、第２タブ５２２は第２突起部５４６の方へ回転される。第２タブ５２２は第２突起部５４６に隣接する。第２突起部５４６により、矢印５６８の方向にストレイン・リリーフ部５００が更に回転しないようにされる。９０度の位置５６６では、ストレイン・リリーフ部５００のケーブル・クランプ端部５３２により形成される面５５２は、シールド終端ボディ５０２のコネクタ端部５０６により形成される面５１０に対して約９０度に方向付けされる。
【００５３】
最初の入口位置５６０と９０度の位置５６６との間の中間の位置までストレイン・リリーフ部５００を回転させて、面５５２が間欠的な角度で面５１０に対して方向づけられてよい。ロック５４８は、シールド終端ボディ５０２に対してストレイン・リリーフ部５００が回転しないように固定される。ロック５４８は、最初の入口位置５６０と９０度の位置５６６との間の中間の位置でシールド終端ボディ５０２にストレイン・リリーフ部５００を固定する。
【００５４】
図１５Ａは、第２の入口位置５７０でシールド終端ボディ５０２につながれるストレイン・リリーフ部５００の斜視図である。第２の入口位置５７０では、ストレイン・リリーフ部５００は、最初の入口位置５６０でのストレイン・リリーフ部５００の向きに対して約１８０度に方向づけられる。第１タブ５１６は第２開口部５４２を介して挿入される。第２タブ５２２は、第１開口部５４０内に挿入される。嵌合部材５１２は嵌合部材５３４内で回転することができる。
【００５５】
図１５Ｂは、０度の位置５７２に回転されるストレイン・リリーフ部５００の斜視図である。ストレイン・リリーフ部５００は矢印５７４の方向に回転される。０度の位置５７２では、第１タブ５１６は第２突起部５４６に隣接する。第２突起部５４６により、矢印５７４の方向にストレイン・リリーフ部５００が更に回転しないようにされる。０度の位置５７２では、ストレイン・リリーフ部５００のケーブル・クランプ端部５３２により形成される面５５２は、シールド終端ボディ５０２のコネクタ端部５０６により形成される面５１０に対して約０度に方向づけされる。
【００５６】
第２の入口位置５７０と０度の位置５７２との間の中間の位置にストレイン・リリーフ部５００を回転させて、面５５２が間欠的な角度で面５１０に対して方向づけられてよい。ロック５４８は、シールド終端ボディ５０２に対してストレイン・リリーフ部５００が回転しないように固定される。ロック５４８は、第２の入口位置５７０と０度の位置５７２との間の中間の位置でシールド終端ボディ５０２にストレイン・リリーフ部５００を固定する。
【００５７】
図１５Ｃは、第２の４５度の位置５７６に回転されるストレイン・リリーフ部５００の斜視図である。ストレイン・リリーフ部５００は、矢印５７８の方向に回転される。第２の４５度の位置５７６では、第２タブ５２２は第１突起部５４４と隣接する。第１突起部５４４により、矢印５７８の方向にストレイン・リリーフ部５００が更に回転しないようにされる。第２の４５度の位置５７６では、ストレイン・リリーフ部５００のケーブル・クランプ端部５３２により形成される面５５２は、シールド終端ボディ５０２のコネクタ端部５０６により形成される面５１０に対して約４５度に方向付けされる。
【００５８】
第２の入口位置５７０と第２の４５度の位置５７６との間の中間の位置までストレイン・リリーフ部５００を回転させて、面５５２が間欠的な角度で面５１０に対して方向づけられてよい。ロック５４８は、シールド終端ボディ５０２に対してストレイン・リリーフ部５００が回転しないように固定される。ロック５４８は、第２の入口位置５７０と第２の４５度の位置５７６との間の中間の位置でシールド終端ボディ５０２にストレイン・リリーフ部５００を固定する。
【００５９】
上記記載は例示を意図しており、制限されないと理解されよう。例えば、上記に記載の態様(および/又はその態様の形態)は、相互に組み合わせて使用されてよい。更に、多くの変更が、発明の範囲から逸脱することなく発明の様々な態様の教示に対する特定の状況又は材料を適合させるために行われてよい。本明細書に記載の材料の大きさおよび種類は、本発明の様々な態様のパラメーターを規定することを目的としているが、それらの態様は決して制限するものではなく、典型的な態様である。多くの他の態様は、上記記載を見返した際当業者にとって明らかであるであろう。従って、本発明の様々な態様の範囲は、付加したクレームが権利付与される同等物の最大範囲に沿って、そのクレームを参照して決定されるべきである。
【図１】
0005883017.tif 000002
【図２】
0005883017.tif 000003
【図３】
0005883017.tif 000004
【図４】
0005883017.tif 000005
【図５】
0005883017.tif 000006
【図６】
0005883017.tif 000007
【図７】
0005883017.tif 000008
【図８】
0005883017.tif 000009
【図９Ａ】
0005883017.tif 000010
【図９Ｂ】
0005883017.tif 000011
【図９Ｃ】
0005883017.tif 000012
【図１０】
0005883017.tif 000013
【図１１Ａ】
0005883017.tif 000014
【図１１Ｂ】
0005883017.tif 000015
【図１１Ｃ】
0005883017.tif 000016
【図１２Ａ】
0005883017.tif 000017
【図１２Ｂ】
0005883017.tif 000018
【図１２Ｃ】
0005883017.tif 000019
【図１３】
0005883017.tif 000020
【図１４Ａ】
0005883017.tif 000021
【図１４Ｂ】
0005883017.tif 000022
【図１４Ｃ】
0005883017.tif 000023
【図１５Ａ】
0005883017.tif 000024
【図１５Ｂ】
0005883017.tif 000025
【図１５Ｃ】
0005883017.tif 000026